(57)【要約】      （修正有）【課題】実験ノート特有の記入ルールに対応した記入帳を提供する。【解決手段】記入帳の各頁１０は、少なくとも、記入日付を記入する領域である記入日付欄１１と、記入者を記入する領域である記入者欄１３と、有する。各頁１０には、電子ペンによって頁１０内の位置座標の識別に用いられるドットパターン６が印刷されている。ドットパターン６は、所定の範囲内に所定個数のドットが、記入帳のどの部分から所定個数のドットを取ってもユニークなパターンとなるように配置されている。【選択図】図５
0003196255.tif 000002
【実用新案登録請求の範囲】
【請求項１】
電子ペンによって記入される記入帳であって、
各頁には、頁内の位置座標の識別に用いられるドットパターンが印刷されており、
各頁は、記入日付を記入する領域である記入日付欄と、記入者を記入する領域である記入者欄と、を有することを特徴とする記入帳。
【請求項２】
各頁は、更に、承認日付を記入する領域である承認日付欄と、承認者を記入する領域である承認者欄と、を有することを特徴とする請求項１に記載の記入帳。
【請求項３】
各頁は、更に、記入内容の表題を記入する領域であるタイトル欄、を有することを特徴とする請求項１又は請求項２に記載の記入帳。
【請求項４】
側面には、複数の用紙に跨るドットパターンが印刷されていることを特徴とする請求項１乃至請求項３のいずれかに記載の記入帳。
【考案の詳細な説明】
【技術分野】
【０００１】
本考案は、記入内容を電子化する電子ペンによって記入される記入帳に関するものである。
【背景技術】
【０００２】
従来から、実験の内容を実験ノートなどの記入帳に記入することが行われている。記入帳としては、例えば、記入内容を電子化する電子ペン専用のノートを用いることができる。電子ペンの代表的なものとしてスウェーデンのＡｎｏｔｏ社が開発した「アノトペン（Ａｎｏｔｏ  ｐｅｎ）」が知られている。特許文献１に記載されているように、アノトペンは、用紙に印刷された所定のドットパターンを読み取って記入情報を生成し、記入情報をコンピュータに送信する。
【先行技術文献】
【特許文献】
【０００３】
【特許文献１】特許第３８４２２８３号公報
【考案の概要】
【考案が解決しようとする課題】
【０００４】
ところで、実験ノートにおいては、一定の記入ルールがある。しかしながら、従来の電子ペン専用ノートは、実験ノート特有の記入ルールに対応していない。
【０００５】
本考案は、前述した問題点に鑑みてなされたものであり、その目的とすることは、実験ノートとして利用するために最適な記入帳を提供することである。
【課題を解決するための手段】
【０００６】
前述した目的を達成するための本考案は、電子ペンによって記入される記入帳であって、各頁には、頁内の位置座標の識別に用いられるドットパターンが印刷されており、各頁は、記入日付を記入する領域である記入日付欄と、記入者を記入する領域である記入者欄と、を有することを特徴とする記入帳である。本考案により、実験ノートとして利用するために最適な記入帳を提供できる。特に、記入日付や記入者をテキストデータ化することが容易となり、同一の記入者の頁を検索したり、同一の記入者の頁を時系列順にコンピュータに表示させたりすることができる。
【０００７】
各頁は、更に、承認日付を記入する領域である承認日付欄と、承認者を記入する領域である承認者欄と、を有することが望ましい。これによって、承認日付や承認者をテキストデータ化することが容易となり、正しい上長が承認を行っているのかを照合したり、承認日付以降に改ざんが行われていないかどうかを容易に判別したりすることができる。
【０００８】
また、各頁は、更に、記入内容の表題を記入する領域であるタイトル欄、を有することが望ましい。これによって、タイトルをテキストデータ化することが容易となり、タイトルによるキーワード検索を行うことができる。
【０００９】
また、側面には、複数の用紙に跨るドットパターンが印刷されていることが望ましい。これによって、用紙が抜けていたり、別の用紙に差し替えられていたりすることを容易に検知することができる。
【考案の効果】
【００１０】
本考案により、実験ノートとして利用するために最適な記入帳を提供することができる。
【図面の簡単な説明】
【００１１】
【図１】記入帳１の外観斜視図
【図２】ドットパターン６のドットとそのドットが変換される値との関係を示す図
【図３】（ａ）は、ドットパターン６を模式的に示し、（ｂ）は、それに対応する情報の例を示す図
【図４】電子ペン１００の構造を示す概略図
【図５】頁１０の構成を示す図
【図６】頁１０の記入例を示す図
【図７】側面５の正面図
【考案を実施するための形態】
【００１２】
以下図面に基づいて、本考案の実施形態を詳細に説明する。本発明は、後述する記入帳１を実験ノートとして用いる場合に好適である。
【００１３】
図１は、記入帳１の外観斜視図である。図１（ａ）は、記入帳１の表面２を示し、図１（ｂ）は、記入帳１の裏面３を示している。記入帳１は、記入内容を電子化する電子ペン１００（図４参照）によって記入される。記入帳１は、表面２及び裏面３を有し、表面２と裏面３との間に、両面が頁１０（図５参照）となる複数の用紙７（図７参照）が綴じ部４によって綴じられている。綴じ部４は、記入帳１の背に相当する。複数の用紙７が重畳され、綴じ部４によって綴じられることによって、側面５（図７参照）が形成される。側面５は、記入帳１の上部（天）、下部（地）、綴じ部４（背）の反対側（小口）に相当する。
【００１４】
図１に示す綴じ部４は、無線綴じである。但し、綴じ部４の綴じ方は特に限定されるものではなく、用紙７が容易に外れなければ、どのような綴じ方であっても良い。
【００１５】
各頁１０には、電子ペン１００によって頁１０内の位置座標の識別に用いられるドットパターン６（図２、図３参照）が印刷されている。また、側面５には、複数の用紙７に跨るドットパターン６が印刷されている。
【００１６】
図２は、ドットパターン６のドットとそのドットが変換される値との関係を示す図である。図２は、アノト方式のドットパターン６を示している。図２に示すように、ドットパターン６の各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、更に、Ｘ座標用の第１ビット値及びＹ座標用の第２ビット値に変換できる。このようにして対応付けられた情報の組合せにより、記入帳１の各頁１０上の位置座標が決定されるように構成されている。
【００１７】
記入帳１の頁１０同士では、座標領域が重ならないようにドットパターン６を形成することもできる。すなわち、各ドットパターン６によって、同一頁１０内の位置座標の識別（例えば、そのドットパターン６が記入帳１の各頁１０上のどの位置にあるのか）だけでなく、頁番号も識別できる。
【００１８】
図３は、（ａ）が、ドットパターン６を模式的に示し、（ｂ）が、それに対応する情報の例を示す図である。図３（ａ）に示すように、縦横約２ｃｍの範囲内に６×６個のドットが、記入帳１のどの部分から６×６ドットを取ってもユニークなパターンとなるように配置されている。これら３６個のドットにより形成されるドットパターン６は、頁番号と、各頁１０内の位置座標の情報を保持している。図３（ｂ）は、図３（ａ）に示す規則性に基づいて対応付けられた値に変換したものである。この変換は、ドットパターン６の画像を撮影する電子ペン１００によって行われる。
【００１９】
図４は、電子ペン１００の構造を示す概略図である。図４に示すように、電子ペン１００は、その筐体１０１の内部に、インクカートリッジ１０４、ＬＥＤ１０５、ＣＭＯＳカメラ１０６、圧力センサ１０７、ＣＰＵ（Central Processing Unit）等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１００のペン先部１０３を記入帳１の各頁１０に当接させて、ストローク（手書きストローク）を記入する。ここで、電子ペン１００のペン先部１０３が記入帳１の各頁１０等に最初に接触することを「ペンダウン」と呼び、接触している（当接している）状態からペン先部１０３が離れることを「ペンアップ」と呼ぶ。電子ペン１００のペンダウンからペンアップまでの間に記入される軌跡が１つのストロークとなり、文字や図形等は、１つ又は複数個のストロークからなる。
【００２０】
バッテリー１１２は、電子ペン１００内の各部品に電力を供給するためのものであり、例えば電子ペン１００のキャップ（図示せず）の脱着により電子ペン１００自体の電源のオン／オフを行うように構成してもよい。リアルタイムクロック１１０は、記入時刻（タイムスタンプ）を示す時刻情報を発信し、プロセッサ１０８に供給する。圧力センサ１０７は、ユーザが電子ペン１００により記入帳１の各頁１０等に文字やマークを書く際にペン先部１０３からインクカートリッジ１０４を通じて与えられる圧力、即ち筆圧を検出し、その値をプロセッサ１０８へ伝送する。
【００２１】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１００で記入帳１の各頁１０等に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述する電子ペン１００の識別情報（以後、「ペンＩＤ」と呼ぶ。）とを関連付けて、コンピュータへ送信する。また、ユーザが１つのストロークを記入し終えて電子ペン１００を記入帳１の各頁１０等から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、コンピュータへ送信する。
【００２２】
ＬＥＤ１０５とＣＭＯＳカメラ１０６は、電子ペン１００のペン先部１０３付近に取り付けられており、筐体１０１におけるＬＥＤ１０５及びＣＭＯＳカメラ１０６と対向する部分には、開口部１０２が形成されている。ＬＥＤ１０５は、記入帳１の各頁１０上のペン先部１０３近傍に向けて赤外線を照明する。その領域は、ペン先部１０３が記入帳１の各頁１０等に接触する位置とはわずかにずれている。ＣＭＯＳカメラ１０６には、赤外線を透過し赤外線以外を遮断する赤外線フィルタが設けられており、ＣＭＯＳカメラ１０６は、ＬＥＤ１０５によって照明された領域内におけるドットパターン６を撮影し、そのドットパターン６の画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、記入帳１の各頁１０に文字や図面などが印刷されていた場合でも、印刷したインクは赤外域に吸収性を持たないため、プロセッサ１０８は、ドットパターン６を認識することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００２３】
プロセッサ１０８は、ユーザの記入が行われる間、ＣＭＯＳカメラ１０６によって供給される画像データのドットパターン６から、ユーザが記入するストローク（筆跡）の記入帳１の各頁１０等におけるＸ、Ｙ座標（以後、単に「座標データ」とも呼ぶ。）を連続的に演算していく。すなわち、プロセッサ１０８は、ＣＭＯＳカメラ１０６によって供給される、図３（ａ）に示されるようなドットパターン６の画像データを図３（ｂ）に示すデータ配列に変換し、さらに、Ｘ座標ビット値・Ｙ座標ビット値に変換して、そのデータ配列から所定の演算方法により座標データを演算する。なお、プロセッサ１０８は、ドットパターン６に対向する電子ペン１００の角度に起因するドットの画像上の配列を補正する回転補正処理機能を備えており、座標演算の際にその機能が実行される。そして、プロセッサ１０８は、リアルタイムクロック１１０から発信される記入時刻（タイムスタンプ）、筆圧データ及び座標データを対応付ける。以後、これらの関連付けたデータを、まとめて「座標属性情報」と呼ぶ。なお、記入帳１の各頁１０における６×６のドットパターン６は、記入帳１で重複することはないため、ユーザが電子ペン１００で文字等を記入すると、記入された位置が記入帳１の各頁１０のどの位置に当たるかを、プロセッサ１０８による座標演算により特定することができる。
【００２４】
メモリ１０９には、電子ペン１００を識別するための「ｐｅｎ０１」といったペンＩＤ、ペン製造者番号、ペンソフトウェアのバージョン等のプロパティ情報が記憶されている。そして、通信ユニット１１１は、ペンＩＤと、記入時刻（タイムスタンプ）と、筆圧データと、座標データとを関連付けて、コンピュータへ送信する。この場合の通信ユニット１１１によるコンピュータへの送信は、Ｂｌｕｅｔｏｏｔｈ（登録商標）などの無線送信によって、即時的かつ逐次的に行われる。ここで、電子ペン１００のペンダウンからペンアップまでの間に生成されてコンピュータに送信された１個又は複数個の座標属性情報は、コンピュータによりストローク情報として記憶される。換言すると、１つのストロークは、１個又は複数個のＸ、Ｙ座標（座標点）からなり、コンピュータは、ペンダウン情報及びペンアップ情報によって、１つのストロークを構成する１個又は複数個の座標属性情報を認識する。更に、ユーザによる求めに応じ、コンピュータは、電子ペン１００によって記入される記入内容をディスプレイに表示する。
【００２５】
図５は、頁１０の構成を示す図である。頁１０は、記入日付を記入する領域である記入日付欄１１と、記入内容の表題を記入する領域であるタイトル欄１２と、記入者を記入する領域である記入者欄１３と、承認者を記入する領域である承認者欄１４と、承認日付を記入する領域である承認日付欄１５と、を有する。また、頁１０は、連番かつ一意の番号である頁番号１６が印刷されている。
【００２６】
記入日付欄１１、タイトル欄１２及び記入者欄１３は、例えば、頁１０の上部に設けられる。また、承認者欄１４及び承認日付欄１５は、例えば、頁１０の下部に設けられる。但し、各欄は、頁１０のどの場所に設けられても良く、特にレイアウトが限定されるものではない。
【００２７】
実験ノートであれば、実験の内容や結果を記入するための記入領域は、例えば、罫線１９によって第１領域１７と第２領域１８とに分割されている。第１領域１７には、例えば、日付や時刻を記入しても良い。すなわち、第１領域１７は、記入日付欄として使用しても良い。第２領域１８には、実験の内容や結果を、文字や図表で記入する。
【００２８】
図５には、ドットパターン６の拡大図を模式的に示している。ドットパターン６は、少なくとも、記入日付欄１１、タイトル欄１２、記入者欄１３、承認者欄１４、承認日付欄１５、第１領域１７及び第２領域１８の全てに印刷されている。また、ドットパターン６は、これらの欄外にも印刷されていても良い。
【００２９】
図６は、頁１０の記入例を示す図である。記入日付欄１１には、「２０１４／１２／１１」という記入開始日付が記入されている。タイトル欄１２には、「○○実験」という表題が記入されている。記入者欄１３には、「○○○○」という記入者の氏名が記入されている。承認者欄１４には、「△△△△」という上長の氏名が記入されている。承認日付欄１５には、「２０１４／１２／２５」という承認日付が記入されている。第１領域１７には、記入日として、「１２／１１」、「１２／１６」、「１２／１８」が記入されている。第２領域１８には、実験の内容や結果が、文字や図表で記入されている。また、一日の記入が完了するごとに、日付、時刻、記入者の名字として、「１２／１１  １０：００  ○○」、「１２／１６  １５：３０  ○○」が記入されている。尚、１２月１８日分については、次の頁１０に跨って記入されている。
【００３０】
記入帳１及び電子ペン１００によれば、ユーザが記入するストローク（筆跡）が、記入時刻や頁１０内の位置座標とともに記憶される。また、電子ペン１００から記入情報を受信するコンピュータでは、頁１０のレイアウトが予め記憶されている。従って、例えば、コンピュータが、記入者欄１３に記入される記入者について文字認識処理を行い、テキストデータ化することによって、同一の記入者の頁１０を容易に検索することができる。同様に、コンピュータが、記入日付欄１１に記入される日付について文字認識処理を行い、テキストデータ化することによって、同一の記入者の頁１０を時系列順に表示することができる。同様に、コンピュータが、タイトル欄１２に記入されるタイトルについて文字認識処理を行い、テキストデータ化することによって、タイトルによるキーワード検索を行うことができる。
【００３１】
更に、予め記入者と承認者である上長との組み合わせをコンピュータに記憶させておき、コンピュータが、承認者欄１４に記入される承認者について文字認識処理を行い、テキストデータ化することによって、正しい上長が承認を行っているのかを照合することができる。また、コンピュータが、承認日付欄１５に記入される承認日付について文字認識処理を行い、テキストデータ化することによって、承認日付以降に改ざんが行われていないかどうか容易に判別することができる。
【００３２】
図７は、側面５の正面図である。図７は、記入帳１の下部（地）を正面から見た図である。側面５の一部又は全部には、複数の用紙７に跨るドットパターン６が印刷されている。すなわち、複数の頁に跨る領域を１つの単位領域（図３の例であれば、縦横約２ｃｍの範囲内に６×６個のドットが印刷される領域）とし、単位領域ごとに、所定の情報を有するドットパターン６が印刷されている。必ずしも１つのドットパターン６が全ての用紙７に跨る必要はないが、全ての用紙７には、いずれかのドットパターン６の一部が印刷されている。これによって、用紙７が１枚でも抜けていたり、別の用紙７に差し替えられていたりすると、少なくとも１つのドットパターン６が意味のなさないものになるため、このような行為を容易に検知することができる。
【００３３】
尚、ドットパターン６の印刷位置は、記入帳１の下部（地）、記入帳１の上部（天）、綴じ部４（背）の反対側（小口）のいずれか１か所の側面５でも良いし、全ての側面５でも良い。
【００３４】
本考案の記入帳１によれば、電子ペン１００で記入することによって、記入帳１に記入した筆跡をデジタルデータとして保存することができる。また、デジタルデータ化した筆跡は、記入時刻とともに管理することができる。また、コンピュータが、筆跡の文字認識処理を行い、テキストデータ化することによって、キーワード検索などを行うことができる。
【００３５】
特に、記入帳１を実験ノートとして利用する場合、手書きの利便性を残しつつ、記入内容を日々自動で電子化できるため、実験ノートの紛失や汚損対策になる。また、記入内容を時系列で管理できるため、不正や改ざんを防止することができる。また、共同研究者同士で記入内容を共有できるため、業務の効率化が図れる。また、承認者である上長は、各研究者の実験ノートを、物理的に離れた場所から確認・承認できるため、研究の進捗を常に把握できる。
【００３６】
以上、添付図面を参照しながら、本考案に係る記入帳の好適な実施形態について説明したが、本考案はかかる例に限定されない。当業者であれば、本願で開示した技術的思想の範疇内において、各種の変更例又は修正例に想到し得ることは明らかであり、それらについても当然に本考案の技術的範囲に属するものと了解される。
【符号の説明】
【００３７】
１………記入帳
２………表面
３………裏面
４………綴じ部
５………側面
６………ドットパターン
７………用紙
１１………記入日付欄
１２………タイトル欄
１３………記入者欄
１４………承認者欄
１５………承認日付欄
１６………頁番号
１７………第１領域
１８………第２領域
１９………罫線
１００………電子ペン
【図１】
0003196255.tif 000003
【図２】
0003196255.tif 000004
【図３】
0003196255.tif 000005
【図４】
0003196255.tif 000006
【図５】
0003196255.tif 000007
【図６】
0003196255.tif 000008
【図７】
0003196255.tif 000009